(57)【要約】【課題】壁パネルを縦張りしても漏水が発生しにくくすることができる壁パネルの接続構造を提供する。【解決手段】長尺な壁パネル１の一方の長手端部に沿って嵌合凸部２を設けると共に壁パネル１の他方の長手端部に沿って嵌合凹部３を設ける。複数枚の壁パネル１を略水平に並べると共に壁パネル１をその長尺方向が鉛直方向と略平行になるように配置する。隣接する壁パネル１の嵌合凸部２と嵌合凹部３とを嵌合することにより隣接する壁パネル１を接続する壁パネルの接続構造に関する。嵌合凸部２の表面に第一パッキン４を設けると共に嵌合凹部３の底面に第二パッキン５を設ける。第一パッキン４の表面を嵌合凹部３の側面及び第二パッキン５の表面に密着させて嵌合凸部２と嵌合凹部３とを嵌合する。【選択図】　図１
2004076428.tif 000002
【特許請求の範囲】
【請求項１】
壁パネルの一方の側端部に嵌合凸部を設けると共に他方の側端部に嵌合凹部を設けて嵌合凸部と嵌合凹部とを嵌合することにより隣接する壁パネルを接続する壁パネルの接続構造において、嵌合凸部の先端面と屋外側の側面に第一パッキンを貼着すると共に嵌合凹部の底面に第二パッキンを貼着し、嵌合凸部の第一パッキンを嵌合凹部の屋外側の側面及び第二パッキンに圧着させて嵌合凸部と嵌合凹部とを嵌合して成ることを特徴とする壁パネルの接続構造。
【請求項２】
嵌合凸部の第一パッキンの屋外側の側面部分に断面略三角形の水密片を突設し、水密片を嵌合凹部の屋外側の側面に圧着して成ることを特徴とする請求項１に記載の壁パネルの接続構造。
【請求項３】
嵌合凸部の第一パッキンに側方に突出する断面略Ｕ字状の凸部を設け、凸部を第二パッキンに圧着して成ることを特徴とする請求項１又は２に記載の壁パネルの接続構造。
【発明の詳細な説明】
【０００１】
【発明の属する技術分野】
本発明は、外壁などの高水密性が必要な壁を複数枚の壁パネルを用いて形成する際に適用される壁パネルの接続構造に関するものである。
【０００２】
【従来の技術】
一般に、複数枚の壁パネルを凹凸嵌合により接続して壁を形成する場合、隣接する壁パネルの嵌合部分の水密性（止水性）を考慮して壁パネルを横張りすることが行なわれている。すなわち、長尺な壁パネルの一方の長手端部に沿って嵌合凸部を設けると共に壁パネルの他方の長手端部に沿って嵌合凹部を設け、長尺方向が略水平になるようにして複数枚の壁パネルを鉛直方向に並べると共に上側に配置される壁パネルの嵌合凹部に下側に配置される壁パネルの嵌合凸部を挿入することによって嵌合凸部と嵌合凹部を嵌合し、鉛直方向に隣接する壁パネルを接続するようにして横張りすることが行なわれている。このようなパネルの接続構造では嵌合された嵌合凸部の先端面と嵌合凹部の底面との間にパッキンを設けることにより水密性を確保しようとしている。
【０００３】
一方、最近では上記と同様の長尺な壁パネルをその長尺方向が略鉛直となるように施工する縦張りの要求が増えてきている。すなわち、上記と同様の長尺な壁パネルをその長尺方向が略鉛直となるようにして複数枚の壁パネルを略水平に並べると共に、図４に示すように、壁パネル１の嵌合凹部３にこれと隣接する他の壁パネル１の嵌合凸部２を挿入することによって嵌合凸部２と嵌合凹部３を嵌合し、水平方向に隣接する壁パネル１、１を接続するようにして縦張りする要求が増えている。この場合、嵌合凸部２の先端面と嵌合凹部３の底面との間にパッキン３０を介在させることにより、嵌合凸部２と嵌合凹部３の嵌合部分の水密性を確保しようとしている。
【０００４】
【発明が解決しようとする課題】
しかし、横張り用に用いていた壁パネルを縦張り用に転用しても、嵌合凸部と嵌合凹部との嵌合部分の水密性が充分でなく低いために、壁内（壁パネルの内部や壁の屋内側）に雨水等の水が浸入して漏水する恐れがあった。
【０００５】
本発明は上記の点に鑑みてなされたものであり、漏水を発生しにくくすることができる壁パネルの接続構造を提供することを目的とするものである。
【０００６】
【課題を解決するための手段】
本発明の請求項１に係る壁パネルの接続構造は、壁パネル１の一方の側端部に嵌合凸部２を設けると共に他方の側端部に嵌合凹部３を設けて嵌合凸部２と嵌合凹部３とを嵌合することにより隣接する壁パネル１、１を接続する壁パネルの接続構造において、嵌合凸部２の先端面２ｃと屋外側の側面２ａに第一パッキン４を貼着すると共に嵌合凹部３の底面３ｄに第二パッキン５を貼着し、嵌合凸部２の第一パッキン４を嵌合凹部３の屋外側の側面３ａ及び第二パッキン５に圧着させて嵌合凸部２と嵌合凹部３とを嵌合して成ることを特徴とするものであり、嵌合凸部２と嵌合凹部３の嵌合部分を第一パッキン４と第二パッキン５の二つのパッキンで止水することができ、嵌合凸部２と嵌合凹部３の嵌合部分が高水密性となって漏水が発生しにくくなるものである。
【０００７】
また、本発明の請求項２に係る壁パネルの接続構造は、請求項１に加えて、嵌合凸部２の第一パッキン４の屋外側の側面部分に断面略三角形の水密片６を突設し、水密片６を嵌合凹部３の屋外側の側面３ａに圧着して成ることを特徴とするものであり、水密片６により嵌合凹部３の屋外側の側面３ａと第一パッキン４との間に隙間が生じにくくなり、さらに水密性が向上して漏水が発生しにくくなるものである。
【０００８】
また、本発明の請求項３に係る壁パネルの接続構造は、請求項１又は２に加えて、嵌合凸部２の第一パッキン４に断面略Ｕ字状の凸部７を設け、凸部７を第二パッキンに圧着して成ることを特徴とするものであり、凸部７により第一パッキン４と第二パッキン５との間に隙間が生じにくくなり、さらに水密性が高くなって漏水が発生しにくくなるものである。
【０００９】
【発明の実施の形態】
以下、本発明の実施の形態を説明する。
【００１０】
図３に示すように、壁パネル１は長さ５〜１０ｍ程度の長尺な平板状に形成されるものであって、対向配置される二枚の金属板２０、２１の間に芯材２３を充填して形成されるサンドイッチパネル等を用いることができる。金属板２０、２１としては、例えば、鉄板、鋼板（ＳＳ４１、ＳＳ４００、ＳＵＳ３０４等）、アルミニウム板、着色亜鉛めっき鋼板、着色合金めっき鋼板、フッ素樹脂フィルムラミネート鋼板、ステンレス鋼板などを用いることができる。また、芯材２３としてはロックウール、グラスウール、ウレタンフォーム、フェノールフォームなどの断熱性を有するものを用いることができる。
【００１１】
上記の壁パネル１には、一方の側端部（長手端部）に沿って嵌合凸部２が全長に亘って設けられていると共に他方の側端部に沿って嵌合凹部３が全長に亘って設けられている。嵌合凸部２は金属板２０、２１の一方の側端部を壁パネル１の内部側に折り曲げて形成される凸側折曲部２４と、対向する凸側折曲部２４の間に充填された芯材２３とで形成されるものである。また、金属板２０、２１の他方の側端部を壁パネル１の内部側に折り曲げて凹側折曲部２５を形成し、対向する凹側折曲部２５の間の空間が断面略コ字状の嵌合凹部３として形成されている。嵌合凹部３の底面は対向する凹側折曲部２５の間の空間に露出する芯材２３の端面で形成されている。
【００１２】
第一パッキン４はエチレンプロピレンゴム（ＥＰＤＭ）などの耐候性が良好で大きい弾性の合成ゴムで長尺に形成されている。図２に示すように第一パッキン４の断面形状は線対称であって、平板状に形成される中央部２６と、中央部２６の両端部から表面側に向かって凸曲するように延設された断面略Ｕ字状の凸部７と、各凸部７の端部から平板状に延設された側部２７と、各側部２７の端部から表面側に向かって突出するように延設された断面略三角形の水密片６とから構成されている。また、第一パッキン４の厚みは例えば１〜３ｍｍに形成することができるが、これに限定されるものではない。
【００１３】
第二パッキン５は第一パッキン４と同様の材料で長尺な板状に形成されており、その厚みは例えば５〜１０ｍｍに形成することができるが、これに限定されるものではない。
【００１４】
そして、上記の壁パネル１を胴縁等の壁下地に取り付けて施工するにあたっては次のようにして行なう。まず、壁パネル１の嵌合凸部２の表面に第一パッキン４を接着材や両面テープ等の粘着材で貼着することによって、壁パネル１の嵌合凸部２の先部の表面に第一パッキン４を設ける。第一パッキン４は嵌合凸部２の長手方向の全長に亘って取り付けられるものであるが、この時、第一パッキン４は嵌合凸部２の先端面２ｃから嵌合凸部２の屋外側の側面２ａと屋内側の側面２ｂとの両方に亘って貼着するものである。すなわち、第一パッキン４の中央部２６は嵌合凸部２の先端面２ｃを覆うように位置すると共に第一パッキン４の各側部２７は嵌合凸部２の屋外側の側面２ａと屋内側の側面２ｂにそれぞれ密着し、さらに、第一パッキン４の凸部７が嵌合凸部２の先端面２ｃと側面２ａ、２ｂの間の角部の外面を覆うように位置するものである。また、第一パッキン４の水密片６は嵌合凸部２の屋外側の側面２ａと屋内側の側面２ｂの略中央部（嵌合凸部２と嵌合凹部３の嵌合方向における略中央部）から突出した状態となる。また、第一パッキン４の凸部７は壁パネル１の側方に向かって突出した状態となる。
【００１５】
一方、第二パッキン５は壁パネル１の嵌合凹部３の底面３ｄに接着材や両面テープ等の粘着材で貼着することによって、壁パネル１の嵌合凹部３の底面３ｄに第二パッキン５を設ける。第二パッキン５は嵌合凹部３の長手方向の全長に亘って取り付けられるものであるが、この時、第二パッキン５の裏面が嵌合凹部３の底面３ｄに密着すると共に第二パッキン５の側端面が嵌合凹部３の屋外側の側面３ａと屋内側の側面３ｂに密着するものである。
【００１６】
次に、第一パッキン４と第二パッキン５を取り付けた壁パネル１を壁下地の表面側（屋外側）に配置し、ビス等の固定具で壁パネル１を壁下地に固定して取り付ける。この時、壁パネル１はその長手方向が鉛直方向と略平行になるように取り付けられるものである。次に、図１（ａ）に示すように、第一パッキン４と第二パッキン５を取り付けた他の壁パネル１を上記の壁下地に取り付けた壁パネル１に側方（横）から近づけ、いずれか一方の壁パネル１の嵌合凸部２を他方の壁パネル１の嵌合凹部３に挿入することによって、図１（ｂ）に示すように、隣接する壁パネル１、１の嵌合凸部２と嵌合凹部３とを嵌合する。この時、第一パッキン４を設けた嵌合凸部２の先部が嵌合凹部３に挿入されるものであり、嵌合凸部２の基部は嵌合凹部３に挿入されないものであり、これにより、隣接する壁パネル１、１の間に目地３１が形成されるものである。次に、側方から近づけた壁パネル１を壁下地に固定して取り付けることによって、隣接する壁パネル１、１を略水平に並べて接続することができる。この後、上記のような嵌合凸部２と嵌合凹部３の嵌合を順次行ないながら複数枚の壁パネル１を略水平に並べて接続していくことによって、外壁等の壁を形成することができる。
【００１７】
本発明では上記のようにして嵌合凸部２と嵌合凹部３の嵌合を行なうと、嵌合凸部２に設けた第一パッキン４の凸部７が嵌合凹部３に設けた第二パッキン５の表面に食い込んで凸部７と第二パッキン５が圧着すると共に、嵌合凸部２に設けた第一パッキン４の屋外側の水密片６が嵌合凹部３の屋外側の側面２ａに、嵌合凸部２に設けた第一パッキン４の屋内側の水密片６が嵌合凹部３の屋内側の側面２ｂにそれぞれ圧着することになり、これにより、嵌合凸部２と嵌合凹部３の嵌合部分を第一パッキン４と第二パッキン５の二つのパッキンで止水することができ、嵌合凸部２と嵌合凹部３の嵌合部分が高水密性となって壁パネル１を縦張りしても漏水が発生しにくくなるものである。
【００１８】
しかも、第一パッキン４の水密片６は嵌合凹部３の開口近傍付近において嵌合凹部３の屋外側の側面３ａに圧着するので、水密片６より嵌合凹部３の開口近傍付近で水が嵌合凸部２と嵌合凹部３の嵌合部分に浸入するのを防止して嵌合凹部３の深部にまで水が浸入しにくくなるものであり、嵌合凸部２と嵌合凹部３の嵌合部分の水密性がさらに向上して漏水が発生しにくくなるものである。
【００１９】
そして、気密箱型式動圧型の水密試験装置を用いて本発明の壁パネルの接続構造の水密試験を行なった結果、台風程度の強風雨を想定した試験条件（脈動圧力の平均値：７４０〜２９４０Ｐａ、脈動周期：２秒、脈動波形：近似正弦波、脈動保持時間：１０分間、噴霧水量：４リットル／ｍ２・分）であっても、壁パネル１の内部や壁パネル１の屋内側に水が浸入することがなく、漏水が発生しなかった。
【００２０】
尚、上記の実施の形態では嵌合凸部２の屋外側の側面２ａと屋内側の側面２ｂとの両方に第一パッキン４を貼着するようにしたが、これに限らず、少なくとも嵌合凸部２の屋外側の側面２ａに第一パッキン４を貼着すればよい。従って、第一パッキン４は、平板状に形成される中央部２６と、中央部２６の屋外側の端部から表面側に向かって凸曲するように延設された断面略Ｕ字状の凸部７と、凸部７の端部から平板状に延設された側部２７と、側部２７の端部から表面側に向かって突出するように延設された断面略三角形の水密片６とから構成されていてもよく、この場合、第一パッキン４は嵌合凸部２の先端面２ｃから嵌合凸部２の屋外側の側面２ａに亘って貼着するものであり、嵌合凸部２の屋内側の側面２ｂには第一パッキン４は貼着されないものである。
【００２１】
【発明の効果】
上記のように本発明の請求項１の発明は、壁パネルの一方の側端部に嵌合凸部を設けると共に壁パネルの他方の側端部に嵌合凹部を設け、隣接する壁パネルの嵌合凸部と嵌合凹部とを嵌合することにより接続する壁パネルの接続構造において、嵌合凸部の先端面と屋外側の側面に第一パッキンを貼着すると共に嵌合凹部の底面に第二パッキンを貼着し、第一パッキンを嵌合凹部の屋外側の側面及び第二パッキンに圧着させて嵌合凸部と嵌合凹部とを嵌合して成ることを特徴とするものであり、嵌合凸部と嵌合凹部の嵌合部分を第一パッキンと第二パッキンの二つのパッキンで止水することができ、嵌合凸部と嵌合凹部の嵌合部分が高水密性となって漏水が発生しにくくなるものである。
【００２２】
また、本発明の請求項２の発明は、第一パッキンの嵌合凸部の屋外側の側面に貼着された部分に断面略三角形の水密片を突設し、水密片を嵌合凹部の屋外側の側面に圧着して成ることを特徴とするものであり、水密片により嵌合凹部の屋外側の側面と第一パッキンとの間に隙間が生じにくくなり、さらに水密性が向上して漏水が発生しにくくなるものである。
【００２３】
また、本発明の請求項３の発明は、第一パッキンに断面略Ｕ字状の凸部を設け、凸部を第二パッキンに圧着して成ることを特徴とするものであり、凸部により第一パッキンと第二パッキンとの間に隙間が生じにくくなり、さらに水密性が高くなって漏水が発生しにくくなるものである。
【図面の簡単な説明】
【図１】本発明の実施の形態の一例を示し、（ａ）（ｂ）は横断面図である。
【図２】同上の第一パッキンを示す斜視図である。
【図３】同上の壁パネルを示す斜視図である。
【図４】従来例を示す横断面図である。
【符号の説明】
１　壁パネル
２　嵌合凸部
３　嵌合凹部
４　第一パッキン
５　第二パッキン
６　水密片
７　凸部
２ａ　側面
２ｂ　側面
２ｃ　先端面
３ａ　側面
３ｂ　側面
３ｄ　底面
【図１】
2004076428.tif 000003
【図２】
2004076428.tif 000004
【図３】
2004076428.tif 000005
【図４】
2004076428.tif 000006